(57)【要約】【課題】圧縮オーディオデータを復号化する時に復号化処理でエラーが発生した場合の音切れを減少させる。【解決手段】光ディスク２０１に記録された圧縮オーディオデータを記憶する半導体メモリ２０６の記憶領域を分割し、ディジタル信号処理回路２０５で得られた圧縮オーディオデータを記憶する領域１および圧縮データデコーダ２０７で得られたオーディオデータを記憶する領域２を形成し、圧縮オーディオデータの領域１への格納およびオーディオデータの領域２への格納を音声出力の１倍速以上で行うコントローラ２０９を備える。【選択図】  図１
2004178665.tif 000002
【特許請求の範囲】
【請求項１】
記録媒体に記録された圧縮符号化された圧縮オーディオデータを読み取るデータ読取手段と、
前記データ読取手段の出力信号をディジタル信号処理して圧縮オーディオデータを得るディジタル信号処理手段と、
前記ディジタル信号処理手段で得られた圧縮オーディオデータを記憶する記憶手段と、
前記記憶手段に記憶された圧縮オーディオデータを復号する復号化手段と、
前記復号化手段で得られたオーディオデータをアナログ変換して音声信号を出力するディジタル／アナログ変換手段と、
前記記憶手段の記憶領域を分割し、前記ディジタル信号処理手段で得られた圧縮オーディオデータを記憶する第１領域および前記復号化手段で得られたオーディオデータを記憶する第２領域を形成する記憶領域分割手段と、
前記ディジタル信号処理手段、前記記憶手段および前記復号化手段を制御し、前記圧縮オーディオデータの前記第１領域への格納および前記オーディオデータの前記第２領域への格納を音声出力の１倍速以上で行う制御手段と、
を備える圧縮オーディオデータ再生装置。
【請求項２】
前記制御手段は、前記オーディオデータの前記第２領域への格納位置を制御する請求項１記載の圧縮オーディオーデータ再生装置。
【請求項３】
記録媒体に記録された圧縮符号化された圧縮オーディオデータを読み取るデータ読取手段と、前記データ読取手段の出力信号をディジタル信号処理して圧縮オーディオデータを得るディジタル信号処理手段と、前記ディジタル信号処理手段で得られた圧縮オーディオデータを記憶する記憶手段と、前記記憶手段に記憶された圧縮オーディオデータを復号する復号化手段と、前記復号化手段で得られたオーディオデータをアナログ変換して音声信号を出力するディジタル／アナログ変換手段とを用いた圧縮オーディオーデータ再生方法であって、
前記復号化手段で得られたオーディオデータを音声出力の１倍速以上で蓄積してから前記ディジタル／アナログ変換手段へ転送する圧縮オーディオデータ再生方法。
【請求項４】
前記復号化手段で得られたオーディオデータの蓄積位置を制御する請求項３記載の圧縮オーディオデータ再生方法。
【発明の詳細な説明】
【０００１】
【発明の属する技術分野】
本発明は、圧縮符号化されたオーディオデータを再生する圧縮オーディオデータ再生装置および方法に関する。
【０００２】
【従来の技術】
図３は、従来の圧縮オーディオデータ再生装置の構成を示すブロック図である。図３に示されるように、圧縮オーディオデータ再生装置は、光ディスク１０１に記録された圧縮オーディオデータを読み取り、ＲＦ（高周波）信号として出力するピックアップ１０２と、ピックアップ１０２から出力されたＲＦ信号を増幅するＲＦアンプ１０３と、ＲＦアンプ１０３から出力された信号をディジタル信号処理するディジタル信号処理回路１０５と、ピックアップ１０２内のフォーカスとトラッキングを制御する２軸デバイスを駆動するサーボＬＳＩ制御回路１０４と、ディジタル信号処理回路１０５で得られた圧縮オーディオデータを記憶する半導体メモリ１０６と、圧縮オーディオデータを復号する圧縮データデコーダ１０７と、圧縮データデコーダ１０７で得られたオーディオデータをアナログ変換するＤ／Ａコンバータ１０８とを備える。
【０００３】
上記構成の圧縮オーディオデータ再生装置において、半導体メモリ１０６には圧縮オーディオデータを記憶する１つの記憶領域が設定される。光ディスク１０１より読み出された圧縮オーディオデータが半導体メモリ１０６の記憶領域に格納された後、圧縮データデコーダ１０７によって、記憶領域に格納された圧縮オーディオデータが読み出されて復号化処理が行われる。復号化処理によって得られたオーディオデータはＤ／Ａコンバータ１０８でアナログ変換され音声として出力される。
【０００４】
上記圧縮オーディオデータ再生装置は、１つの半導体メモリ１０６を用いて、光ディスク１０１から読み出した圧縮オーディオデータを記憶し、復号化時に半導体メモリ１０６に記憶させた圧縮オーディオデータを読み出すものであるが、２つのメモリを用いて、復号化後のオーディオデータの記憶と光ディスクから読み出した圧縮オーディオデータの記憶を行うようにして、早送りと早戻しを行えるマニュアルサーチ再生を実現したものがある（特許文献１）。
【０００５】
【特許文献１】
特開２０００−１４９４４４号公報（第４，５頁、図１）
【０００６】
【発明が解決しようとする課題】
従来の圧縮オーディオデータ再生装置においては、圧縮データデコーダ１０７で復号化処理エラーが発生した場合、Ｄ／Ａコンバータ１０８へのデータ転送が行われなくなり、音切れが発生してしまう問題がある。
【０００７】
また、可変ビットレートの圧縮データの音声出力を早送り、早戻しするマニュアルサーチでは、光ディスク１０１の再生位置より再生方向へ固定長のサイズ分先の位置へトラックジャンプして再生処理を行い、これを繰り返すことによりマニュアルサーチを実現していたが、圧縮データが可変ビットレートである場合は従来の固定長分のトラックジャンプではマニュアルサーチの再生速度が一定にならず、出力する再生位置と再生時間の誤差が大きくなる問題がある。
【０００８】
図４のマニュアルサーチ時の処理イメージに示すように、圧縮オーディオデータ内にＢ１、Ｂ２、Ｂ３のビットレートが異なる領域がある場合、固定長のトラックジャンプを行う方式では、Ｄ１１、Ｄ１２、Ｄ２１、Ｄ２２、Ｄ３１、Ｄ３２の位置の圧縮オーディオデータを再生する。この場合、音声出力位置がＡ１１、Ａ１２、Ａ２１、Ａ２２、Ａ３１、Ａ３２となり、それぞれの音声出力間隔（Ｘ１、Ｘ２、Ｘ３）が一定でない為、再生速度が一定にならない。
【０００９】
本発明は上記事情に鑑みてなされたもので、圧縮オーディオデータを復号化する時に復号化処理でエラーが発生した場合の音切れを減少させることができる圧縮オーディオデータ再生装置および方法を提供することを目的とする。また、可変ビットレートの圧縮オーディオデータのマニュアルサーチで音出し量、時間表示を正確に行うことができる圧縮オーディオデータ再生装置および方法を提供することを目的とする。
【００１０】
【課題を解決するための手段】
請求項１の圧縮オーディオデータ再生装置は、記憶媒体に記録された圧縮符号化された圧縮オーディオデータを読み取るデータ読取手段（ピックアップ２０２）と、前記データ読取手段の出力信号をディジタル信号処理して圧縮オーディオデータを得るディジタル信号処理手段（ディジタル信号処理回路２０５）と、前記ディジタル信号処理手段で得られた圧縮オーディオデータを記憶する記憶手段（半導体メモリ２０６）と、前記記憶手段に記憶された圧縮オーディオデータを復号する復号化手段（圧縮データデコーダ２０７）と、前記復号化手段で得られたオーディオデータをアナログ変換して音声信号を出力するディジタル／アナログ変換手段（Ｄ／Ａコンバータ２０８）と、前記記憶手段の記憶領域を分割し、前記ディジタル信号処理手段で得られた圧縮オーディオデータを記憶する第１領域および前記復号化手段で得られたオーディオデータを記憶する第２領域を形成する記憶領域分割手段（コントローラ２０９）と、前記ディジタル信号処理手段、前記記憶手段および前記復号化手段を制御し、前記圧縮オーディオデータの前記第１領域への格納および前記オーディオデータの前記第２領域への格納を音声出力の１倍速以上で行う制御手段（コントローラ２０９）とを備える。
【００１１】
請求項３の圧縮データ再生方法は、記録媒体に記録された圧縮符号化された圧縮オーディオデータを読み取り高周波信号として出力するデータ読取手段と、前記データ読取手段の出力信号をディジタル信号処理して圧縮オーディオデータを得るディジタル信号処理手段と、前記ディジタル信号処理手段で得られた圧縮オーディオデータを記憶する記憶手段と、前記記憶手段に記憶された圧縮オーディオデータを復号する復号化手段と、前記復号化手段で得られたオーディオデータをアナログ変換して音声信号を出力するディジタル／アナログ変換手段とを用いた圧縮オーディオーデータ再生方法であって、前記復号化手段で得られたオーディオデータを音声出力の１倍速以上で蓄積してから前記ディジタル／アナログ変換手段へ転送する。
【００１２】
請求項１および３に係る発明によれば、ディジタル信号処理後の圧縮オーディオデータの第１領域への格納および復号化処理後のオーディオデータの第２領域への格納を音声出力の１倍速以上で行うことで、第２領域にオーディオデータが蓄積される。この蓄積により記録媒体の傷や振動等によりデータが読み出せない場合でも音声出力が可能となり、さらに復号化処理にてエラーが発生した時も再度同じ位置から復号化処理を行うことによって、ディジタル／アナログ変換手段への転送が途切れる頻度を減少させることができる。
【００１３】
請求項２の圧縮データ再生装置は、請求項１記載の圧縮データ再生装置において、前記制御手段は、前記オーディオデータの前記第２領域への格納位置を制御する。
【００１４】
請求項４の圧縮データ再生方法は、請求項３記載の圧縮データ再生方法において、前記復号化手段で得られたオーディオデータの蓄積位置を制御する。
【００１５】
請求項２および４に係る発明によれば、可変ビットレートの圧縮オーディオデータのマニュアルサーチ時にも復号化後のオーディオーデータの格納位置を制御することで、マニュアルサーチ速度、音声出力量、時間表示を正確に行うことが可能となる。
【００１６】
【発明の実施の形態】
以下、本発明の実施の形態について、図面を参照して詳細に説明する。
図１は、本発明の一実施の形態に係る圧縮オーディオデータ再生装置の構成を示すブロック図である。図１において、圧縮オーディオデータ再生装置は、圧縮オーディオデータ再生装置は、光ディスク２０１に記録された圧縮オーディオデータを読み取り、ＲＦ（高周波）信号として出力するピックアップ２０２と、ピックアップ２０２から出力されたＲＦ信号を増幅するＲＦアンプ２０３と、ＲＦアンプ２０３から出力された信号をディジタル信号処理するディジタル信号処理回路２０５と、ピックアップ２０２内のフォーカスとトラッキングを制御する２軸デバイスを駆動するサーボＬＳＩ制御回路２０４と、ディジタル信号処理回路２０５で得られた圧縮オーディオデータを記憶する半導体メモリ２０６と、圧縮オーディオデータを復号する圧縮データデコーダ２０７と、圧縮データデコーダ２０７で得られたオーディオデータをアナログ変換するＤ／Ａコンバータ２０８と、半導体メモリ２０６、圧縮データデコーダ２０７およびＤ／Ａコンバータ２０８を制御コントローラ２０９とを備える。
【００１７】
コントローラ２０９は、半導体メモリ２０６の記憶領域を２分割して、領域１をディジタル信号処理回路２０５からの圧縮オーディオデータの格納に使用し、領域２を復号化処理後のオーディオデータの格納に使用する。
【００１８】
また、コントローラ２０９は、ディジタル信号処理後の圧縮オーディオデータの領域１への格納および復号化処理後のオーディオデータの領域２への格納を音声出力の１倍速以上で行い、領域２にオーディオデータを蓄積する。
【００１９】
オーディオデータを蓄積させることで、光ディスク２０１の傷や振動等によりデータが読み出せない場合でも音声出力が可能となり、さらに復号化処理にてエラーが発生した時も再度同じ位置から復号化処理を行うことによって、Ｄ／Ａコンバータ２０８への転送が途切れる頻度を減少させることができる。
【００２０】
また、コントローラ２０９は、復号化処理後のオーディオデータの領域２への格納位置を制御してマニュアルサーチの再生速度が一定になるようにする。図２に示すように、圧縮オーディオデータ内にＢ４、Ｂ５、Ｂ６のビットレートの異なる領域がある場合では、オーディオデータが音声出力の１倍速以上で半導体メモリ２０６に格納されているため、オーディオデータを固定量分Ｄ／Ａコンバータ２０８へ転送して音声出力を行い、領域２に格納されているオーディオデータを固定量分間引き、間引きを行った後のオーディオデータを固定量分Ｄ／Ａコンバータ２０８へ転送する。この動作を繰り返すことでマニュアルサーチの動作を実現することができる。
【００２１】
図２におけるＤ４１、Ｄ４２、Ｄ５１、Ｄ５２、Ｄ６１、Ｄ６２の位置のオーディオデータを間引きすることにより、音声出力がＡ４１、Ａ４２、Ａ５１、Ａ５２、Ａ６１、Ａ６２となり音声出力が一定になる。また、音声出力と間引いた分のオーディオデータは固定量で行っている為、表示用の時間計算も固定量分を加減算することにより正確な時間を算出することが可能となる。
【００２２】
復号化処理後のオーディオデータを半導体メモリ２０６の領域２に格納し、音出し量、間引き量を操作することによるマニュアルサーチを実現することで、従来のようなトラックジャンプ処理を行う必要がなくなる。
【００２３】
次に、圧縮オーディオデータ再生装置の動作について説明する。ピックアップ２０２で光ディスク２０１から読み出された圧縮オーディオデータがＲＦアンプ２０３で増幅された後、ディジタル信号処理回路２０５でデジィタル信号処理される。そして、得られた圧縮オーディオデータが半導体メモリ２０６の領域１に格納される。
【００２４】
半導体メモリ２０６の領域１に格納された圧縮オーディオデータは圧縮データデコーダ２０７で復号化処理され、オーディオデータに変換される。ここまでの過程の処理は音声出力の１倍速以上で行われる。復号化処理によって得られたオーディオデータは半導体メモリ２０６の領域２に格納される。領域２に格納されたオーディオデータは音声出力の１倍速でＤ／Ａコンバータ２０８へ転送されて音声出力される。
【００２５】
本実施の形態によれば、光ディスク２０１に記録された圧縮符号化された圧縮オーディオデータを読み取ってディジタル信号処理した後、記憶領域を２分割した半導体メモリ２０６の領域１に圧縮オーディオデータを格納し、圧縮オーディオデータに対する復号化処理し、復号化処理後のオーディオデータを半導体メモリ２０６の領域２に格納する処理を音声出力の１倍速以上で行い、領域２に格納したオーディオデータを音声出力の１倍速でアナログ変換して音声出力することで、デコーダ処理でエラーが発生しても再度同じ位置で復号化処理を開始させて、復号化処理後のオーディオデータの半導体メモリ２０６に格納させることができ、音切れの発生を最小限に抑えることが可能となる。また、半導体メモリ２０６に格納するオーディオデータを制御することで可変ビットレートの圧縮オーディオデータのマニュアルサーチ時に音出し量、時間表示を正確に行うことが可能となる。
【００２６】
【発明の効果】
本発明によれば、ディジタル信号処理後の圧縮オーディオデータの第１領域への格納および復号化処理後のオーディオデータの第２領域への格納を音声出力の１倍速以上で行うことで、第２領域にオーディオデータが蓄積される。この蓄積により記録媒体の傷や振動等によりデータが読み出せない場合でも音声出力が可能となり、さらに復号化処理にてエラーが発生した時も再度同じ位置から復号化処理を行うことによって、ディジタル／アナログ変換手段への転送が途切れる頻度を減少させることができる。
【００２７】
また、可変ビットレートの圧縮オーディオデータのマニュアルサーチ時にも復号化後のオーディオーデータの格納位置を制御することで、マニュアルサーチ速度、音声出力量、時間表示を正確に行うことが可能となる。
【図面の簡単な説明】
【図１】本発明の一実施の形態に係る圧縮オーディオデータ再生装置の構成を示すブロック図。
【図２】本発明の一実施の形態に係る圧縮オーディオデータ再生装置におけるマニュアルサーチ時の処理イメージを示す図。
【図３】従来の圧縮オーディオデータ再生装置の構成を示すブロック図。
【図４】従来の圧縮オーディオデータ再生装置におけるマニュアルサーチ時の処理イメージを示す図。
【符号の説明】
１０１  光ディスク
１０２  ピックアップ
１０３  ＲＦアンプ
１０４  サーボＬＳＩ制御回路
１０５  ディジタル信号処理回路
１０６  半導体メモリ
１０７  圧縮データデコーダ
１０８  Ｄ／Ａコンバータ
２０１  光ディスク
２０２  ピックアップ
２０３  ＲＦアンプ
２０４  サーボＬＳＩ制御回路
２０５  ディジタル信号処理回路
２０６  半導体メモリ
２０７  圧縮データデコーダ
２０８  Ｄ／Ａコンバータ
２０９  コントローラ
【図１】
2004178665.tif 000003
【図２】
2004178665.tif 000004
【図３】
2004178665.tif 000005
【図４】
2004178665.tif 000006